(57)【要約】【課題】本発明の課題は、短時間での組立・分解・運搬が繰り返し可能な棚やラック、特に揚重用ワイヤ収納用のラックを提供することである。【解決手段】本発明では、直方体又は柱状体の稜部にフレームを有する直方体フレーム部又は柱状体フレーム部と、前記直方体フレーム部又は前記柱状体フレーム部に取り付け又は取り外し可能で、前記直方体フレーム部又は柱状体フレーム部を支える脚又は脚を有する台座を有し、前記直方体フレーム部又は柱状体フレーム部は、前記フレームの連結部が回転結合の連結部を有していることで折りたたみを可能としているもの、又は、他の形態として、前記直方体フレーム部又は前記柱状体フレーム部が上部と下部を有していて、前記上部と前記下部が抜き差し構造で連結されていることで取り付け取り外しを可能とした構造を有している。【選択図】図１
2008278910.tif 000002
【特許請求の範囲】
【請求項１】
直方体の稜部にフレームを有する直方体フレーム部と、前記直方体フレーム部は、前記フレームの連結部に折りたたみを可能とする回転結合の連結部とを有することを特徴とする組立・分解式ラック又は揚重用ワイヤ収納用組立・分解式ラック。
【請求項２】
直方体の稜部にフレームを有する直方体フレーム部を有し、前記直方体フレーム部は、抜き差し構造で連結され取り付け外しが可能な上部と下部を有することを特徴とする組立・分解式ラック及び揚重用ワイヤ収納用組立・分解式ラック。
【請求項３】
柱状体の稜部にフレームを有する柱状体フレーム部を有し、前記柱状体フレーム部は、抜き差し構造で連結され取り付け外しが可能な上部と下部を有することを特徴とする組立・分解式ラック及び揚重用ワイヤ収納用組立・分解式ラック。
【請求項４】
柱状体の上底面、及び下底面の辺部にフレームを有する上底面フレーム部と下底面フレーム部と縦バー部を有し、前記縦バー部は、前記上底面フレーム部と前記下底面フレーム部との取り付け／取り外しを可能とする連結部となっていることを特徴とする組立・分解式ラック及び揚重用ワイヤ収納用組立・分解式ラック。
【請求項５】
前記直方体フレーム部又は前記柱状体フレーム部のフレームに取り付け／取り外し自在に連結する縦バー及び／又は横バーと、前記縦バー及び／又は横バーに付設した収納物をかけるためのフック又は揚重用ワイヤをかけるフックを有することを特徴とした請求項１から請求項４のいずれか一つに記載の組立・分解式ラック及び揚重用ワイヤ収納用組立・分解式ラック。
【請求項６】
前記直方体フレーム部又は前記柱状体フレーム部の下底面フレームに取り付け又は取り外し可能で、前記直方体フレーム部又は前記柱状体フレーム部を支える脚又は脚を有する台座を有することを特徴とする請求項１〜請求項５記載の組立・分解式ラック及び揚重用ワイヤ収納用組立・分解式ラック。
【請求項７】
小物を収納する引き出し部又は袋又は容器及び／又は、収納品の管理状況を表示する管理表を掲示する掲示部を有することを特徴とする請求項１から請求項６のいずれか一つに記載の組立・分解式ラック及び揚重用ワイヤ収納用組立・分解式ラック。
【請求項８】
前記直方体フレーム部又は前記柱状体フレーム部と前記脚又は前記脚を有する前記台座との取り付け取り外しの手段と、前記直方体フレーム部又は前記柱状体フレームの前記フレームと前記縦バー及び／又は前記横バー連結手段の少なくとも一つが接続のための棒状のノブを有し、前記ノブを折り曲げ／戻す又は、前記ノブの回し／戻すことで簡単に締まり／緩むようになっていることを特徴とする請求項１から請求項７のいずれか一つに記載の組立・分解式ラック及び揚重用ワイヤ収納用組立・分解式ラック。
【請求項９】
前記直方体フレーム部又は前記柱状体フレーム部の内側にも収納部を設けたことを特徴とする請求項１から請求項８のいずれか一つに記載の組立・分解式ラック及び揚重用ワイヤ収納用組立・分解式ラック。
【発明の詳細な説明】
【技術分野】
【０００１】
本発明は、分解して携帯し、工事作業の現場、工場で短時間に組立し、使用できるワイヤ、特に揚重用ワイヤの収納ラックに関するものである。  
【背景技術】
【０００２】
工事現場や工場では、重量物の吊り下げ作業において、揚重用ワイヤが沢山使用されている。このワイヤは、使用後に棚や地面に横たえるか、フックに吊り下げて保管される。この保管には、沢山のフックを備えた棚が便利である。分解しない固定の棚やラックは存在する。図４は従来例としての分解しない固定の棚やラックの例を示す図である。ラック４００は鉄骨などの材質でフレーム４０１が組み立てられ、多数のフック４０２を付設したフック固定板４０３がフレーム４０１に固定されている。保管すべきワイヤ４０４がフック４０２に図示のようにかけて保管されている。キャスタ４０５が付いている場合もあるが、固定の棚の場合は、１ｍ内外のごく近傍の範囲の移動のみに対応している。移動もしないので、重く頑丈な作りをしている。ところで、工事作業では、作業現場が次々変わっていくことが多く、これに対応して、簡単に移動しやすい、特に現場で分解が短時間で且つ繰り返しでき、小さい容積になることで持ち運びに便利な物となり、同様に組み立てが短時間で且つ繰り返しできる棚やラック、特に揚重用ワイヤ収納用の組立・分解式ラックが必要になる。このような要求に対応するものは先行例として、背板と両側板が蝶番で旋回自在になっている棚板付きラック、ハンガーラックの例が、特許文献１、特許文献２に示されている。１対の支柱を横桟で連結した枠の端にある支柱に軸方向から着脱自在に嵌合する水平の連結桟からなるラックでバスケットを持つものが、特許文献３に示されている。水平の棚部材を支柱で支える連結具として、管を半割りにした構造のものを使用したラックが特許文献４に示されている。支柱間を横に連結した枠の2組の間を着脱自在に連結した仮設パイプ用ラックの例が実開平６−６６９７６に示されている。
【特許文献１】特開２００１−２３１６３８
【特許文献２】特開平７−２８９３６２
【特許文献３】特開平７−２１３３５４
【特許文献４】特開２０００−３０８５２８
【発明の開示】
【発明が解決しようとする課題】
【０００３】
上記のような事情から、解決しようとする課題は、短時間での組立・分解・運搬が繰り返し可能な棚やラック、特に揚重用ワイヤ収納用のラックを提供することである。
【課題を解決するための手段】
【０００４】
上記の課題を解決するための手段として、本発明による組立・分解式ラック及び揚重用ワイヤ収納用組立・分解式ラックでは、直方体又は柱状体の稜部にフレームを有する直方体フレーム部又は柱状体フレーム部と、前記直方体フレーム部又は前記柱状体フレーム部に取り付け又は取り外し可能で、前記直方体フレーム部又は柱状体フレーム部を支える脚又は脚を有する台座を有し、前記直方体フレーム部又は柱状体フレーム部は、前記フレームの連結部が回転結合の連結部を有していることで折りたたみを可能としているもの、又は、他の形態として、前記直方体フレーム部又は前記柱状体フレーム部が上部と下部を有していて、前記上部と前記下部が抜き差し構造で連結されていることで取り付け取り外しを可能とした構造を有している。以下、請求項に沿って説明する。
【０００５】
請求項１記載の発明は、組立・分解式ラック又は揚重用ワイヤ収納用組立・分解式ラックであって、直方体の稜部にフレームを有する直方体フレーム部と、前記直方体フレーム部は、前記フレームの連結部に折りたたみを可能とする回転結合の連結部とを有することを特徴とする。これにより、組立・分解式の運搬が容易な収納ラックを得ることができる。
【０００６】
請求項２記載の発明は、組立・分解式ラック及び揚重用ワイヤ収納用組立・分解式ラックであって、直方体の稜部にフレームを有する直方体フレーム部を有し、前記直方体フレーム部は、抜き差し構造で連結され取り付け外しが可能な上部と下部を有することを特徴とする。これにより、組立・分解式の運搬が容易な収納ラックを得ることができる。
【０００７】
請求項３記載の発明は、組立・分解式ラック及び揚重用ワイヤ収納用組立・分解式ラックであって、柱状体の稜部にフレームを有する柱状体フレーム部を有し、前記柱状体フレーム部は、抜き差し構造で連結され取り付け外しが可能な上部と下部を有することを特徴とする。これにより、組立・分解式の運搬が容易な収納ラックを得ることができる。
【０００８】
請求項４記載の発明は、組立・分解式ラック及び揚重用ワイヤ収納用組立・分解式ラックであって、柱状体の上底面、及び下底面の辺部にフレームを有する上底面フレーム部と下底面フレーム部と縦バー部を有し、前記縦バー部は、前記上底面フレーム部と前記下底面フレーム部との取り付け／取り外しを可能とする連結部となっていることを特徴とする。これにより、組立・分解式の運搬が容易な収納ラックを得ることができる。
【０００９】
請求項５記載の発明は、請求項１から請求項４のいずれか一つに記載の組立・分解式ラック及び揚重用ワイヤ収納用組立・分解式ラックにおいて、前記直方体フレーム部又は前記柱状体フレーム部のフレームに取り付け／取り外し自在に連結する縦バー及び／又は横バーと、前記縦バー及び／又は横バーに付設した収納物をかけるためのフック又は揚重用ワイヤをかけるフックを有することを特徴とする。これにより収納を容易にする。
【００１０】
請求項６記載の発明は、請求項１〜請求項５記載の組立・分解式ラック及び揚重用ワイヤ収納用組立・分解式ラックにおいて、前記直方体フレーム部又は前記柱状体フレーム部の下底面フレームに取り付け又は取り外し可能で、前記直方体フレーム部又は前記柱状体フレーム部を支える脚又は脚を有する台座を有することを特徴とする。これにより脚や台座の取り付け取り外しが可能となる。
【００１１】
請求項７記載の発明は、請求項１から請求項６のいずれか一つに記載の組立・分解式ラック及び揚重用ワイヤ収納用組立・分解式ラックにおいて、小物を収納する引き出し部又は袋又は容器及び／又は、収納品の管理状況を表示する管理表を掲示する掲示部を有することを特徴とする。これにより収納や管理上の便宜が図れる。
【００１２】
請求項８記載の発明は、請求項１から請求項７のいずれか一つに記載の組立・分解式ラック及び揚重用ワイヤ収納用組立・分解式ラックにおいて、前記直方体フレーム部又は前記柱状体フレーム部と前記脚又は前記脚を有する前記台座との取り付け取り外しの手段と、前記直方体フレーム部又は前記柱状体フレームの前記フレームと前記縦バー及び／又は前記横バー連結手段の少なくとも一つが接続のための棒状のノブを有し、前記ノブを折り曲げ／戻す又は、前記ノブの回し／戻すことで簡単に締まり／緩むようになっていることを特徴とする。これにより、短時間に取り付け取り外しが出来る。
【００１３】
請求項９記載の発明は、請求項１から請求項８のいずれか一つに記載の組立・分解式ラック及び揚重用ワイヤ収納用組立・分解式ラックにおいて、前記直方体フレーム部又は前記柱状体フレーム部の内側にも収納部を設けたことを特徴とする。これにより収納の量が多く出来る。
【発明の効果】
【００１４】
以上のように構成されているので、本発明による組立・分解式ラック及び揚重用ワイヤ収納用組立・分解式ラックでは、分解・組み立てが容易で短時間にでき、且つ運搬しやすい状態を得ることができるので、移動性の現場に使用して便利である。
【発明を実施するための最良の形態】
【００１５】
本発明による組立・分解式ラック及び揚重用ワイヤ収納用組立・分解式ラックは、直方体又は柱状体の稜部にフレームを有する直方体フレーム部又は柱状体フレーム部と、前記直方体フレーム部又は前記柱状体フレーム部に取り付け又は取り外し可能で、前記直方体フレーム部又は柱状体フレーム部を支える脚又は脚を有する台座を有し、前記直方体フレーム部又は柱状体フレーム部は、前記フレームの連結部が回転結合の連結部を有していることで折りたたみを可能としているもの、又は他の形態として、前記直方体フレーム部又は前記柱状体フレーム部が上部と下部を有していて、前記上部と前記下部が抜き差し構造で連結されていることで取り付け取り外しを可能とした構造を有している。具体的構成の詳細は以下に実施例を用い説明する。
【００１６】
図１は、本発明による組立・分解式ラック及び揚重用ワイヤ収納用組立・分解式ラックの一実施態様を示す図である。１−Ａには、揚重用ワイヤ等を吊り下げ収納するに便利な組立・分解式ラックの全体を斜視図で示している。それは、直方体フレーム部１−Ｄと台座部１−Ｃを部分として有し、更にフックなどをかける又は付設した縦バー、横バーを有している。１−Ａにおいて、例えば、揚重用ワイヤを収納する場合には、使用する直方体フレーム部１０１に付設された縦バー１０２があり、この縦バー１０２には横バー１０３が接続され、縦バー１０２と横バー１０３にはフック１０４が付いている。フック１０４にワイヤを吊り下げ、又は巻いて吊り下げる。
【００１７】
この揚重用ワイヤ収納用組立・分解式ラックの分解組み立ての容易性を次に示す。他の作業場所に持ち込むために分解をするとする。先ず、縦バー１０２に接続した横バー１０３を外す。閉めたりはずしたりするところは、ノブの倒す／戻す又は、ノブの回し／戻すことで簡単に締まり／緩むようになっている。具体的例では、縦バー１０２から棒状の接続具（ノブ）が出ていて、これに横バー１０３に開けた穴に差し込む。棒状の接続具は、更に棒部１と棒部２の二つの棒が９０度回転結合で結合したものでなっていて、棒部１は縦バー１０２に固定しているが、棒部２は、棒部１を基点に９０度折れ曲がる。棒部１と棒部２が１直線状にあるときは、縦バー１０２に対して横バー１０３の取り付け、取り外しが行える。横バー１０３を取り付け後に、棒部２を９０度折り曲げたときは、横バー１０３は、棒状の接続具からは抜けなくて棒部２により固定されていることになる。同様に、棒状の接続具が折れ曲がる構造でなく、先端がネジを切ってあり、これに固定のキャップをメスネジ結合で固定することも出来る。
【００１８】
次に縦バー１０２を外す。１−Ｂには、このような分解過程で縦バー１枚のみ付いている状態を示している。下には、外された縦バー１０２と横バー１０３が横たえてある。バーの数にもよるが、１〜２分程度で外しが完了する。縦バー１０２は、取り付け・取り外しが容易な構成の例として、縦バー１０２の両先端にある穴にオスネジを挿入し、直方体フレーム部１０１の水平枠のメスネジ穴にねじ込むことや、逆に、直方体フレーム部１０１の水平枠についた棒状の接続具を利用することで実現できる。棒状の接続具は、横バーを外す記述で述べたことと同様に考えることが出来る。
【００１９】
次に台座１０５と直方体フレーム部１０１の結合部１０６を外す。結合部１０６も横バー１０３や縦バー１０２の結合と同様に簡単に外し／結合ができるようになっている。ノブの回しでもよいし、ボルトナットで閉めてもよいが、ワンタッチでできることが好ましい。この部分の結合の好ましい例として、結合部１０６は図のように、2枚の平行した板でなっていて、この板の間に直方体フレーム部１０１の下側足を差込、2枚の平行した板と前記の下側足に開いたボルト穴にボルトを差込み、ナットで止めることで達成することが出来る。他の例として、直方体フレーム部１０１の下側足が回転ズレを起こさないように例えば角型の断面形状をしていて、下側足を2枚の平行した板または、断面コの字型の部材に嵌めこんだ後、下側足に対して蝶番で回転するカバーをし、固定するようにすることも可能である。
【００２０】
外された台座１０５は１−Ｃに、直方体フレーム部１０１は１−Ｄに示されている。１−Ｃでは、台座を構成する二組の脚部１０７とこの間を連結し台座１０５を固定する連結板１０８があり、１枚の連結板１０８が外された様子を示している。当然連結板１０８の取り付け外しもワンタッチでできることが好ましい。この例として、脚部１０７に棒状の接続具を設けておき、この棒状の接続具を通す穴を持つ連結板１０８を取り付けることが可能である。棒状の接続具については、横バー１０３を外すところで述べたもの同様に構成することが出来る。
【００２１】
１−Ｄの直方体フレーム部１０１は、１−Ｅのようにフレームの連結部が回転結合の連結部１０９となっているので、簡単に折りたたみができて、容積が小さくなって持ち運びが容易な折りたたみ状態の折りたたみフレーム部１１０となる。連結部１０９は、中心軸となる中心棒を円管に挿入された構成で、互いに回転結合になっている。縦横のフレーム部１１０は、中心棒と円管に接続されているので、折りたたみフレーム構造が達成できる。
【００２２】
従って、分解状態では、横バー１０３、縦バー１０２、二つの脚部１０７、２枚の連結板１０８、折りたたみフレーム部１１０となり、運搬移動が容易である。運搬後は、他の作業場所で分解とは逆の組み立てを行えばよい。分解、組み立てとも５分もかからない時間で対処できるので大変便利である。
【００２３】
図２は、本発明による組立・分解式ラック及び揚重用ワイヤ収納用組立・分解式ラックの別の実施態様を示す図である。２−Ａには、揚重用ワイヤ等を吊り下げ収納することに便利な組立・分解式ラックの全体を斜視図で示している。これは、直方体フレーム部２０１がフレーム上部２０１Ａとフレーム下部２０１Ｂを有していて、これが中間の位置で抜き差し構造で連結されていて、ここで取り付け外しができるようになっている。フレーム上部２０１Ａの横桟２０２とフレーム下部２０１Ｂの横桟２０２を縦バー２０３で連結している。横桟２０２と縦バー２０３の連結の例として、図1で説明した棒状の接続具の構造を採用することが出来る。図には示されないが、横バーを付けることも可能である。フック２０４はワイヤをかけるためのものであり、縦バー２０３についている。フレーム下部２０１Ｂには、市販のキャスターである回転脚部２０５が付いていて、移動を容易にしている。
【００２４】
以上の組立・分解式ラックを分解する状況を説明する。先ず、例えば折り曲げられた棒状の接続具をまっすぐに戻して、縦バー２０３を抜き取り外す。２−Ｂにはこのような状態を示している。更に、フレーム上部２０１Ａとフレーム下部２０１Ｂを抜き取りにより分離する。両者のフレームは互いに差込の状態になっているので、縦バー２０３による固定を外すと、容易に抜き出すことが出来る。これにより部分に分けることで運搬が容易になる。２−Ｃはこのような状態を示している。更に、フレーム下部２０１Ｂは、図の例では、２−Ｄのように下フレーム側面２０６が折りたためるようになっている。折りたたみの構造は、図1の直方体フレーム部１０１の連結部が回転結合の連結部となっていたものと同様に考えることが出来る。下フレーム側面２０６と脚部２０５の連結部に回転結合をさせることが出来る。又、折りたたまずに、下フレーム側面２０６を脚部２０５から外すことも可能であるが、分解した部品の数が多くなると、運搬が不便となり、組み立ての時間が増えて不利になるので、分解は最小限にするのが好ましい。フレーム上部２０１Ａは、更に、２−Ｅのように上フレーム側面２０７と横桟２０２を有する構造体２０８に分解される。これらは、更に分解が可能であるが、余分な分解は、上記の理由で好ましくない。以上のように図１の場合と同じく、分解／組立処理が容易なものとなっている。組み立ては、分解とは逆の順で行えばよい。
【００２５】
図３は本発明による組立・分解式ラック及び揚重用ワイヤ収納用組立・分解式ラックの別の実施態様を示す図である。特に、３−Ａでは、１−Ｄに示す直方体フレーム部の分解の変形を示し、３−Ｃは、直方体フレーム部の代わりに円柱フレーム部となったものであり、３−Ｅは、直方体フレーム部の代わりに６角柱フレームとなったものである。このように形状は多くの変形が可能である。いずれも上と下に矩形や円形や６角形などの形状の上底面フレーム部３０１、下底面フレーム部３０２、縦バー３０３からなっていて、分解すると３−Ｂ、３−Ｄ、３−Ｆのようになる。勿論、図３のいずれの例も図２のように縦バー部の中間で上下に分解することも可能であり、本願の範囲である。
【００２６】
尚、台座や脚は、直方体フレーム部が転倒することを防ぐ機能を持つので、直方体フレーム部の奥行きに比べ、台座や脚の奥行きはこれより大きい方が機能的であることは言うまでもない。尚、本明細書及び請求の範囲の記述での脚と台座の意味は、脚は、直方体フレーム部や台座がある場合には台座を支える部分であり、地平面に接触した部分、台座は、直方体フレーム部の下にあって、これを支える部分である。台座がなく、直方体フレーム部に直接脚が付設してある場合もある。又、台座は一般には、直方体フレーム部の奥行きより大きな奥行きを有することで、倒れにくい構成にするのがよい。ワイヤの収納以外にも各種の小物を収納したい場合があるので、小物を収納する引き出し部又は袋又は容器の配備や取り付けができると好都合である。又、収納品の管理状況を表示する管理表の掲示ができると管理上の利便性がある。図では、直方体フレーム部の外側にフックがあり、物が収納しているように見えるが、直方体フレーム部の内側も収納のための容積が大きくあるので、収納スペースとして利用できるようにフック等を配備することが望ましい。
【産業上の利用可能性】
【００２７】
以上の様に、本発明による組立・分解式ラック及び揚重用ワイヤ収納用組立・分解式ラックでは、組立・分解が短時間に簡単にできるので、現場移動を行う場合に使用して便利であるので、産業上大きな利用性を有している。
【図面の簡単な説明】
【００２８】
【図１】本発明による組立・分解式ラック及び揚重用ワイヤ収納用組立・分解式ラックの一実施態様を示す図である。
【図２】本発明による組立・分解式ラック及び揚重用ワイヤ収納用組立・分解式ラックの別の実施態様を示す図である。
【図３】本発明による組立・分解式ラック及び揚重用ワイヤ収納用組立・分解式ラックの別の実施態様を示す図である。
【図４】従来例としての分解しない固定の棚やラックの例を示す図である。
【符号の説明】
【００２９】
１０１  直方体フレーム部
１０２  縦バー
１０３  横バー
１０４、４０２  フック
１０５  台座
１０６  結合部
１０７  脚部
１０８  連結板
１０９  回転結合の連結部
１１０  折りたたみフレーム部
２０１  直方体フレーム部
２０１Ａ  フレーム上部
２０１Ｂ  フレーム下部
２０２  横桟
２０３  縦バー
２０４  フック
２０５  脚部
２０６  下フレーム側面
２０７  上フレーム側面
２０８  構造体
３０１  上底面フレーム部
３０２  下底面フレーム部
３０３  縦バー
４００  ラック
４０１  フレーム
４０３  フック固定板
４０４  ワイヤ
４０５  キャスタ
【図１】
2008278910.tif 000003
【図２】
2008278910.tif 000004
【図３】
2008278910.tif 000005
【図４】
2008278910.tif 000006